(57)【要約】【課題】  静電気対策がなされていることを外観に示すとともに、静電気耐圧性能の向上が可能な電子機器を提供することを目的とする。【解決手段】    ボタンスイッチ９を押下するユーザの指が静電気を帯びている場合、静電気が回路基板１６に到達する前に、上ケース７の内面７ｂに設けられたグランドに飛ぶことが望ましい。導電部材１１を設けることで、人の指から飛んだ静電気が導電部材１１を介して上ケース７の内面７ｂのグランドに到達しやすくなり、誤作動が起こる危険性を低減することができる。また、導電部材１１がボタンスイッチ９の周りに視認できる形で設けられていることから、電子機器１に静電気対策がなされていることをユーザに対して示すことができる。【選択図】  図２
2009026503.tif 000002
【特許請求の範囲】
【請求項１】
上面を有する筐体と、
前記上面に設けられる操作部と、
前記筐体内部に設けられるグランド部と、
前記上面の前記操作部の近傍に設けられ、前記グランド部と電気的に接続される導電部材とを備え、前記導電部材は前記上面に露出する端部と、前記端部から前記筐体の上面を貫通して前記筐体内部に延びる胴部とを備えることを特徴とする電子機器。
【請求項２】
前記導電部材は、前記胴部の少なくとも一部が前記筐体内部の前記グランド部と電気的に接続されることを特徴とする請求項１記載の電子機器。
【請求項３】
前記端部は前記操作部を囲むように少なくとも２つ以上設けられることを特徴とする請求項１記載の電子機器。
【請求項４】
前記操作部は矩形状の操作領域と、前記操作領域と段差をもって設けられる外周部を有し、前記端部は前記矩形上の外周部に沿って設けられることを特徴とする請求項１記載の電子機器。
【発明の詳細な説明】
【技術分野】
【０００１】
本発明は、電子機器に関し、特に静電気対策に関する。
【背景技術】
【０００２】
電子機器には、スイッチやコネクタなど人の手がよく触れる箇所が存在する。静電気によって電子部品等が破壊されるのを防ぐため、静電気対策の一般的な方法として、外部から電子機器に印加された静電気が電子機器内の回路基板に飛ぶ前に電子機器の筐体のフレームＧＮＤに飛ばす方法がある。また、特許文献１には、回転ツマミ体の下面外周寄りに円弧状導電部を設け、基体に導電性突出部を形成して近接当接させて静電気対策した電気部品が開示されている。回転体の一部をキャビネットの開口から外部に突出させて配設し、前記キャビネットの開口から飛び込む静電気を、前記導電部に落とし込むことで、この導電部に落ちた静電気をプリント基板のアースパターンに逃がすようにしいている。
【特許文献１】特開１１−１４４９２２号公報
【発明の開示】
【発明が解決しようとする課題】
【０００３】
しかし、上記の方式の場合、静電気をプリント基板のアースパターンに逃がすようにしているため、静電気がプリント基板上の電子部品に飛んで誤動作を起こさせる可能性があるという問題がある。また、上記の方式では、静電気対策がなされていることをユーザが外観から知ることはできない。そこで本発明の目的は、静電気対策がなされていることを外観に示すとともに、静電気耐圧性能の向上が可能な電子機器を提供することにある。
【課題を解決するための手段】
【０００４】
上記目的を達成するために本発明に係る電子機器は、上面を有する筐体と、前記上面に設けられる操作部と、前記筐体内部に設けられるグランド部と、前記上面の前記操作部の近傍に設けられ、前記グランド部と電気的に接続される導電部材とを備え、前記導電部材は前記上面に露出する端部と、前記端部から前記筐体の上面を貫通して前記筐体内部に延びる胴部とを備えることを特徴とする。
【発明の効果】
【０００５】
本発明によれば、静電気対策がなされていることを外観に示すとともに、静電気耐圧性能の向上が可能な電子機器を提供することができる。
【発明を実施するための最良の形態】
【０００６】
以下本発明に係る実施の形態を、図面を参照して説明する。図１は本発明の実施形態に係る電子機器を示す外観斜視図である。電子機器１は筐体２を備え、筐体２にはディスプレイユニット３がヒンジ部４を介して回動可能に取り付けられている。ディスプレイユニット３は筐体２の上面２ａが開放される開き位置と、筐体２の上面２ａが覆われる閉じ位置とで回動可能である。ディスプレイユニット３内にはＬＣＤ（Ｌｉｑｕｉｄ  Ｃｒｙｓｔａｌ  Ｄｉｓｐｌａｙ）３ａから構成される表示装置が組み込まれる。筐体２内には複数の電子部品を搭載した回路基板が収容されている。筐体２の上面２ａにはタッチパッド５およびキーボード６が取り付けられる。筐体２は樹脂製あるいはマグネシウム合金等の金属製の上ケース７及び下ケース８とから構成され、筐体２内には複数の電子部品を搭載した後述する回路基板が収容されている。また、筐体２の上ケース７の上面７ａには操作するためのボタンスイッチ９が複数設けられる。
【０００７】
図２は本発明の実施形態に係る電子機器の内部を示す断面図である。図３は本発明の実施形態に係る操作部を示す図である。図３では、図１に４つ記載されているボタンスイッチ９の中で１つを代表して示している。
【０００８】
上ケース７の内面７ｂには必要に応じて導電塗装が施されグランドとして使用される。上ケース７の上面７ａからは導電部材１１の端部１１ａが上面７ａから突出するように設けられる。端部１１ａは、例えば半球状や円柱状に形成することができる。
【０００９】
導電部材１１には例えば銅やステンレス等が用いられる。導電部材１１は、導電塗装が施された上ケース７の内面７ｂと電気的に接触する胴部１１ｂが設けられる。導電部材１１は、ボタンスイッチ９から端部１１ａまでの距離Ａが、ボタンスイッチ９から回路基板１６までの距離Ｂよりも小さくなるように設けるのが望ましい。また、導電部材１１は、上ケース７の内面７ｂに設けられたボス１３を介してネジ１４により固定される。導電部材１１の固定には、ボス１３とネジ１４を用いる他に、溶着等を用いて固定しても良い。
【００１０】
下ケース８の内面８ａにはボス１５が複数設けられる。回路基板１６には図示しないネジ穴が設けられ、ボス１５を介してネジ１７により下ケース８と回路基板１６とがネジ止めされる。回路基板１６の上面１６ａには、電子部品１８が実装される。また、回路基板１６には、スイッチ部品１９が設けられ、ユーザがボタンスイッチ９を押下することにより、ボタンスイッチ９の下面９ａと、スイッチ部品１９の上面１９ａとが接触することで、ボタンスイッチ９に割り当てられた動作が行われる。
【００１１】
ボタンスイッチ９を押下するユーザの指が静電気を帯びている場合、静電気が回路基板１６に到達する前に、上ケース７の内面７ｂに設けられたグランドに飛ぶことが望ましい。電子機器１の薄型化によって筐体２が薄くなると、ボタンスイッチ９を押下するユーザの指から静電気が回路基板１６に到達しやすくなるが、本実施形態のように、導電部材１１を設けることで、人の指から飛んだ静電気が導電部材１１を介して上ケース７の内面７ｂのグランドに到達しやすくなる。今後電子機器の動作電圧が低くなっていくと、電圧変動に敏感になり静電気の影響で誤作動することがありうるが、本実施形態のようにユーザの指から飛んだ静電気が上ケース７の内面７ｂのグランドに到達しやすくすることで誤作動が起こる危険性を低減することができる。また本実施形態では、導電部材１１がボタンスイッチ９の周りに視認できる形で設けられていることから、電子機器１に静電気対策がなされていることをユーザに対して示すことができる。
【００１２】
本実施形態によれば、静電気対策がなされていることを外観に示すとともに、静電気耐圧性能の向上が可能な電子機器を提供することができる。
【００１３】
図４は本発明の他の実施形態に係る電子機器の操作部を示す外観斜視図である。図５は本発明の他の実施形態に係る電子機器の操作部の断面を示す図である。以下の説明で図１乃至図３で示したものと同一の構成には同一の符号を付して重複した説明を省略する。
【００１４】
導電部材１１は、タッチパッド５に設けても良い。タッチパッド５は矩形状の操作領域５ａと、この操作領域５ａと段差をもって設けられる外周部５ｂを有し、導電部材１１の端部１１ａは外周部５ｂに沿って設けられる。タッチパッド５の操作領域５ａと外周部５ｂとは間隙が存在する。タッチパッド５を操作するユーザの指が静電気を帯びている場合、静電気が回路基板１６に到達する前に、上ケース７の内面７ｂに設けられたグランドに飛ぶことが望ましい。本実施形態のように、タッチパッド５の外周部５ｂに導電部材１１の端部１１ａを設けることで、人の指から飛んだ静電気が導電部材１１を介して上ケース７の内面７ｂのグランドに到達しやすくなる。本実施形態では、導電部材１１がタッチパッド５の外周部５ｂに沿って視認できる形で設けられていることから、電子機器１に静電気対策がなされていることをユーザに対して示すことができる。
【００１５】
本実施形態によれば、静電気対策がなされていることを外観に示すとともに、静電気耐圧性能の向上が可能な電子機器を提供することができる。
【００１６】
以上の説明のように静電気対策用の導電端部をボタンスイッチ、タッチパッドなど操作部の周囲に設けることで、ユーザは一見して電子機器に静電気対策がなされていることを認識することができる。
【００１７】
ボタンスイッチ、タッチパッドなど操作部の周囲に筐体のＧＮＤに接続された導電端部を設けて、人の指が帯びている静電気が積極的に導電端部に流れるようにすることで、静電気耐圧性能の向上を見込むことができる。
【００１８】
本発明の実施形態によれば、静電気対策がなされていることを外観に示すとともに、静電気耐圧性能の向上が可能な電子機器を提供することができる。
【００１９】
本発明ではその主旨を逸脱しない範囲であれば、上記の実施形態に限定されるものではなく種々の変形が可能である。
【図面の簡単な説明】
【００２０】
【図１】本発明の実施形態に係る電子機器を示す外観斜視図。
【図２】本発明の実施形態に係る電子機器の内部を示す断面図。
【図３】本発明の実施形態に係る操作部を示す図。
【図４】本発明の他の実施形態に係る電子機器の操作部を示す外観斜視図。
【図５】本発明の他の実施形態に係る電子機器の操作部の断面を示す図。
【符号の説明】
【００２１】
１…電子機器、２…筐体、３…ディスプレイユニット、４…ヒンジ部、５…タッチパッド、５ａ…操作領域、５ｂ…外周部、６…キーボード、７…上ケース、８…下ケース、９…ボタンスイッチ、１１…導電部材、１６…回路基板、１８…電子部品、１９…スイッチ部品
【図１】
2009026503.tif 000003
【図２】
2009026503.tif 000004
【図３】
2009026503.tif 000005
【図４】
2009026503.tif 000006
【図５】
2009026503.tif 000007